(57)【要約】      （修正有）【課題】テープディスペンサー自体を単体で加重したり、卓上に固定したりせずに、安定して卓上に置くことができる粘着テープディスペンサー及び粘着テープディスペンサーセットを提供する。【解決手段】上から見て略長方形の形状を有する台座部１と、その一方の短辺側に直立して設けられた粘着テープの切刃部２と、その他方の短辺側寄りに直立して設けられ、かつロール状の粘着テープを回転自在に保持するロールホルダーとを含む粘着テープディスペンサーであって、台座部１の長辺側に、同じ長辺側同士で互いに嵌合して固定できるように構成された凹凸部４を設けたことを特徴とする。【選択図】図２
0003203068.tif 000002
【実用新案登録請求の範囲】
【請求項１】
上から見て略長方形の形状を有する台座部と、その一方の短辺側に直立して設けられた粘着テープの切刃部と、その他方の短辺側寄りに直立して設けられ、かつロール状の粘着テープを回転自在に保持するロールホルダーとを含む粘着テープディスペンサーであって、台座部の長辺側に、同じ長辺側同士で互いに嵌合して固定できるように構成された凹凸部を設けたことを特徴とする粘着テープディスペンサー。
【請求項２】
ロールホルダーが、外径１２ｃｍ以上のロール状の粘着テープを回転自在に保持することができるように構成されていることを特徴とする請求項１に記載の粘着テープディスペンサー。
【請求項３】
請求項１又は２に記載の粘着テープディスペンサーを複数有する粘着テープディスペンサーセットであって、各粘着テープディスペンサーの台座部の長辺側の凹凸部が互いに嵌合して固定されていることを特徴とする粘着テープディスペンサーセット。
【考案の詳細な説明】
【技術分野】
【０００１】
本考案は、卓上に設置したときに簡単な方法で安定して固定することができるロール状の粘着テープのためのディスペンサーに関する。
【背景技術】
【０００２】
従来からロール状の粘着テープは、家庭用、事務用、業務用として広く普及されており、セロハン、紙、合成フィルム等からなる長尺テープ基材の一方の面に粘着剤を塗布して巻回したものが使用されている。このロール状の粘着テープからテープを繰り出して所望幅で切断することを容易にするために粘着テープディスペンサーが使用されている。
【０００３】
粘着テープディスペンサーは、一般にロール状の粘着テープを回転自在に保持するロールホルダーと、前方に引き出したテープを保持して切断するためのテープ切刃部とから構成されている。かかる粘着テープディスペンサーの従来例としては、特許文献１〜４が挙げられる。これらのテープディスペンサーは、いずれも卓上に置くことを想定したものであり、特に粘着テープを繰り出して所望幅で切断して使用することを意図したものである。
【０００４】
しかしながら、これらのテープディスペンサーは、テープを前方に引き出したり、又は横方向から何らかの力が加えられた場合に簡単に転倒しやすい問題があった。最近では、効率化の要求や環境問題によるゴミ削減のために、大径の粘着テープの使用が強く要請されており、ロールホルダーが大径の粘着テープを保持するときは、全体の重心が高くなって非常に不安定になり、より一層転倒しやすくなる問題があった。
【０００５】
かかる問題に対処するためには、一般にテープディスペンサー自体を加重するか、もしくは設置面積（底面面積）を大きくして安定させるか、又はテープディスペンサーを卓上に固定することが必要である。しかし、ディスペンサー自体を重くすると、持ち運びしにくくなり、万一落下したときに使用者に対する危険性が増大する問題があった。また、設置面積を大きくすると、ディスペンサー自体が大きくなり、この方法もやはり持ち運びしにくくなる問題があった。また、ディスペンサー自体を卓上に固定すると、少しの移動が必要なときに迅速に対応することが困難になり、卓上用として到底そぐわなくなる問題があった。
【先行技術文献】
【特許文献】
【０００６】
【特許文献１】特許第４３１８２２８号公報
【特許文献２】特開２０１１−５７４０６号公報
【特許文献３】特開２０１５−１０８１２５号公報
【特許文献４】特開２０１５−１５１２１０号公報
【考案の概要】
【考案が解決しようとする課題】
【０００７】
本考案は、上記の従来技術の問題を解消するために創案されたものであり、その目的は、テープディスペンサー自体を単体で加重したり、卓上に固定したりせずに、簡単な方法で安定して卓上に置くことができる粘着テープディスペンサーを提供することにある。
【課題を解決するための手段】
【０００８】
本考案者は、上記目的を達成するために鋭意検討した結果、粘着テープディスペンサーの台座部の長辺側に凹凸部を設け、この凹凸部で他の粘着テープディスペンサーと長辺側同士で互いに嵌合して固定することによって、複数の同種の粘着テープディスペンサーを使用して設置面積と重量を全体として大きくして安定させることができ、しかも持ち運び時にはこの嵌合した長辺側の凹凸部をはずして単一のものに分割すれば容易に持ち運ぶことができることを見出し、本考案の完成に至った。
【０００９】
即ち、本考案は、以下の（１）〜（３）の構成を有するものである。
（１）上から見て略長方形の形状を有する台座部と、その一方の短辺側に直立して設けられた粘着テープの切刃部と、その他方の短辺側寄りに直立して設けられ、かつロール状の粘着テープを回転自在に保持するロールホルダーとを含む粘着テープディスペンサーであって、台座部の長辺側に、同じ長辺側同士で互いに嵌合して固定できるように構成された凹凸部を設けたことを特徴とする粘着テープディスペンサー。
（２）ロールホルダーが、外径１２ｃｍ以上のロール状の粘着テープを回転自在に保持することができるように構成されていることを特徴とする（１）に記載の粘着テープディスペンサー。
（３）（１）又は（２）に記載の粘着テープディスペンサーを複数有する粘着テープディスペンサーセットであって、各粘着テープディスペンサーの台座部の長辺側の凹凸部が互いに嵌合して固定されていることを特徴とする粘着テープディスペンサーセット。
【考案の効果】
【００１０】
本考案の粘着テープディスペンサーは、台座部の長辺側に、同じ長辺側同士で互いに嵌合して固定できるように構成された凹凸部を設けたので、複数台の粘着テープディスペンサーを長辺側で互いに嵌合して組み合わせることで全体の設置面積と重量を大きくすることができ、重心の高い大径の粘着テープを使用する場合であっても卓上で安定した状態で置いて使用することができる。
【００１１】
また、本考案の粘着テープディスペンサーは、長辺側同士を嵌合して連結した後に凹凸部の嵌合解除により長辺側同士を簡単に分離することができるので、単一の粘着テープディスペンサーとして持ち運びが容易であり、収納や保管時に嵩ばらない。
【００１２】
さらに、本考案の粘着テープディスペンサーは、複数台を長辺側同士で互いに嵌合して連結することができるので、比較的小さい設置面積で異なる種類の粘着テープを使用した粘着テープディスペンサーを安定して並列配置させることができる。
【図面の簡単な説明】
【００１３】
【図１】図１は、本考案の粘着テープディスペンサーの一例の概略的な斜視図である。なお、明瞭のために粘着テープは示されていない。
【図２】図２は、２台の本考案の粘着テープディスペンサーの台座部の長辺側同士を凹凸部で互いに嵌合して固定した例の概略的な斜視図である。なお、明瞭のためにロールホルダーは示されていない。
【図３】図３は、２台の本考案の粘着テープディスペンサーの台座部の長辺側同士を凹凸部で互いに嵌合して固定した例の概略的な平面図である。なお、明瞭のためにロールホルダーは示されていない。
【図４】図４は、本考案の粘着テープディスペンサーの一例の概略的な斜視図である。なお、明瞭のために粘着テープは示されていない。
【図５】図５は、２台の本考案の粘着テープディスペンサーの台座部の長辺側同士を凹凸部で互いに嵌合して固定した例の概略的な斜視図である。
【図６】図６は、２台の本考案の粘着テープディスペンサーの台座部の長辺側同士を凹凸部で互いに嵌合して固定した例の概略的な斜視図である。
【図７】図７は、３台の本考案の粘着テープディスペンサーの台座部の長辺側同士を凹凸部で互いに嵌合して固定した例の概略的な斜視図である。
【図８】図８は、３台の本考案の粘着テープディスペンサーの台座部の長辺側同士を凹凸部で互いに嵌合して固定した例の概略的な斜視図である。
【考案を実施するための形態】
【００１４】
本考案の粘着テープディスペンサーの一例について図面を参照しながら説明するが、本考案は、これらに限定されるものではない。
【００１５】
図１は、本考案の粘着テープディスペンサーの一例の概略的な斜視図である。図１において、１は、粘着テープディスペンサーの台座部であり、２は、台座部１の一方の短辺側に直立して設けられ、かつロール状の粘着テープから繰り出した粘着テープを保持して切断する切刃部であり、３は、台座部１の他方の短辺側寄りに直立して設けられ、かつロール状の粘着テープを回転自在に保持するロールホルダーである。なお、図１においては、構成の把握を容易にするため、ロール状の粘着テープは省略されている。
【００１６】
本考案の粘着テープディスペンサーは、切刃部２及びロールホルダー３に関しては、従来公知のものと同様の特徴を有するものを採用することができる。例えば、切刃部２は、図１に示すように、直立した上方先端に左側から繰り出した粘着テープを受けて保持する平坦な保持部と、その右端に設けられた切刃状の切断部（図示せず）とを形成したものを採用することができ、ロールホルダー３は、ロール状の粘着テープを回転自在に保持できるようにロールの中心に嵌め込まれるロール保持部の両側方へ突き出た回転芯を引っ掛けることができる溝を上方に設けたものを採用することができる。
【００１７】
本考案の粘着テープディスペンサーの台座部１は、図１に示すように、上から見て略長方形の板状の形状を有し、その一方の短辺側（図１では右側の短辺側）に切刃部２を直立して設け、その他方の短辺側寄り（図１では左側の短辺側寄り）にロールホルダー３を直立して設けられるように構成される。切刃部２及びロールホルダー３は、それぞれ上方から台座部１の上部平面に嵌め込んで固定されるように構成されることができる。
【００１８】
本考案の粘着テープディスペンサーの最大の特徴は、台座部１が略長方形の平面部の長辺側に凹凸部４を設け、この凹凸部４により他の粘着テープディスペンサーを長辺側で連結することを可能にしたことである。この凹凸部４は、他の粘着テープディスペンサーといずれの長辺側でも連結できるように両長辺側に設けられることが好ましい。凹凸部４は、他の粘着テープディスペンサーと凹凸部４で嵌合固定できる限り、長辺側全部に設けてもよいし、長辺側の一部だけに設けてもよい。
【００１９】
凹凸部４の具体例としては、例えば図２の斜視図及び図３の平面図で示すような形態が挙げられる。このような形態により、台座部１の長辺側同士で互いに嵌合して嵌合部５を形成し、複数台の粘着テープディスペンサーを連結することができ、結果として複数台の粘着テープディスペンサーが合わさって設置面積（底面面積）と重量の増大をもたらし、卓上での安定化を図ることができる。また、凹凸部４の嵌合解除により、連結した粘着テープディスペンサーの長辺側で個別に分離することができ、単体として持ち運びが容易であり、保管収納時に嵩ばらない。特に、本考案の粘着テープディスペンサーは、複数台で長辺側同士で連結することによって、外径１２ｃｍ以上、さらには１４ｃｍ以上の大径のロール状の粘着テープをロールホルダーで保持する場合であっても、支持する底面面積を大きくすることができるので、転倒の危険が極めて少ない。
【００２０】
本考案の粘着テープディスペンサーが単体として図４のような構成を有するとき、同種の構成の２台を長辺側で連結（嵌合固定）する場合には、例えば図５、図６に記載のように連結されることができる。図５は、隣接する台の粘着テープディスペンサーの粘着テープの繰り出し方向が同じである例を示し、図６は粘着テープの繰り出し方向が互いに反対方向である例を示す。
【００２１】
また、本考案の粘着テープディスペンサーが単体として図４のような構成を有するとき、同種の構成の３台を長辺側で連結（嵌合固定）する場合には、例えば図７、図８に記載のように連結されることができる。図７は、隣接する台の粘着テープディスペンサーの粘着テープの繰り出し方向が同じである例を示し、図８は粘着テープの繰り出し方向が互いに反対方向である例を示す。図５〜図８は、いずれも長辺側の全ての部分で連結されていないが、このように粘着テープの切断位置を隣接する粘着テープディスペンサー間でずらすことにより隣接する台と干渉せずに作業性を高めることができる。
【産業上の利用可能性】
【００２２】
本考案の粘着テープディスペンサーは、単体として加重したり卓上に固定したりせずに複数台で連結して安定して卓上に置くことができるので、転倒しにくく安全性及び作業性が極めて高く、当業界において極めて有用である。
【符号の説明】
【００２３】
１      台座部
２      切刃部
３      ロールホルダー
４      凹凸部
５      嵌合部
【図１】
0003203068.tif 000003
【図２】
0003203068.tif 000004
【図３】
0003203068.tif 000005
【図４】
0003203068.tif 000006
【図５】
0003203068.tif 000007
【図６】
0003203068.tif 000008
【図７】
0003203068.tif 000009
【図８】
0003203068.tif 000010